(57)【要約】【課題】  表示部を良好に保持できる強度を確保することで、装置の大型化を回避することができる表示装置を提供する。【解決手段】  表示部１７と、表示部１７が搭載される金属製板６と、金属製板６が設けられた第１部分筐体２と、を備え、金属製板６は、表示部１７が搭載される搭載部のうち第１の一辺から第１の曲げ部によって形成された第１曲げ片６０と、第１の一辺に隣接する第２の一辺から第２の曲げ部によって形成された第２曲げ片６１と、第１曲げ片６０から第３の曲げ部によって形成された第３曲げ片（または第３連結片）６２と、を有し、第３曲げ片６２は、第１曲げ片６０と第２曲げ片６１とを連設し、第１部分筐体２に覆われるよう構成した。【選択図】  図２
2012173615.tif 000002
【特許請求の範囲】
【請求項１】
表示部と、
前記表示部が搭載される金属製板と、
前記金属製板が設けられた筐体と、を備え、
前記金属製板は、前記表示部が搭載される搭載部のうち第１の一辺から第１の曲げ部によって形成された第１曲げ片と、前記第１の一辺に隣接する第２の一辺から第２の曲げ部によって形成された第２曲げ片と、前記第１曲げ片から第３の曲げ部によって形成された連結片と、を有し、
前記連結片は、前記第１曲げ片と前記第２曲げ片とを連設し、前記筐体に覆われる、
ことを特徴とする表示装置。
【請求項２】
前記連結片の一部は、前記第２曲げ片に重ねられ、前記第２曲げ片または前記搭載部と機械的に結合された、
ことを特徴とする請求項１記載の表示装置。
【請求項３】
前記連結片が、前記筐体内に埋没するように成形された、
ことを特徴とする請求項１または請求項２記載の表示装置。
【請求項４】
前記表示部は、長さが異なる２枚のガラスが積層されて形成された重層部と、前記２枚のガラスが積層されていない単層部とを有し、
前記第３の曲げ片が、前記単層部の隅部を囲むように配置された、
ことを特徴とする請求項１乃至３のいずれか一項に記載の表示装置。
【請求項５】
前記金属製板は、前記表示部に覆われる位置に貫通穴と、凹部と、を有し、
可撓性配線板の一端側は、前記表示部の前記単層部に接続され、
前記可撓性配線板の他端側は、前記金属製板の内側で折り曲げられ、前記凹部の上部を通過して、前記表示部と該金属製板の間に配設され、前記貫通穴に挿通されて、前記金属製板の裏面に配置された、
ことを特徴とする請求項１乃至４のいずれか一項に記載の表示装置。
【発明の詳細な説明】
【技術分野】
【０００１】
本発明は、携帯電話機やノートパソコンなどの携帯端末装置や、車載されるナビゲーション装置等、表示部を備えた表示装置に関する。
【背景技術】
【０００２】
従来、携帯電話機、携帯遊戯機、ノート型パソコン、電子書籍端末等の携帯型端末（以下、携帯端末）の表示部としては、液晶パネル及びバックライトを備える液晶表示ディスプレイ（liquid crystal display、以下、ＬＣＤと略す)等の平板状表示ユニットが広く用いられている。
例えば、ＬＣＤは、複数の液晶セルが挟まれたガラス基板と、ガラス基板の端部で張り出す部分に構成された液晶駆動用ＩＣとを有する液晶表示モジュールの背面側に、液晶表示モジュールに光を照射するバックライトモジュールを対向配置してなる。このように構成されたＬＣＤなどの平板状表示ユニットは、例えば、携帯電話では、携帯電話の筐体に設けられた平坦部分に載置されることによって搭載される。
【０００３】
一般的に、携帯電話に搭載される平板状表示ユニットは、筐体において、通話相手の音声を発音するスピーカが搭載される面に配置して表示部を構成しており、ユーザーが携帯電話を使用する際に、耳を押し付ける等、表示部近傍に力が加わる。この力によって表示部が破損しないような構造が求められる。
しかしながら、使用者が誤って落下させたり、ポケットに収納させたまま屈んだりするなど、不測の事態により、設計者の想定以上の力が本体部に付与される場合もある。この場合、表示部を構成する平板状表示ユニットでは、ガラス基板上に構成される液晶駆動用ＩＣに応力集中が発生する可能性がある。そのため、例えば、特許文献１では、ガラス基板を金属製のフレーム上に配置し、フレームにおいて、液晶駆動用ＩＣ或いはガラス基板の張り出す部分に対応する位置を加工してブリッジを形成する等して、ＬＤＣ自体の強度を高めて、破損を回避できるようにしている。
【先行技術文献】
【特許文献】
【０００４】
【特許文献１】特開２００９−９８２０号公報
【発明の概要】
【発明が解決しようとする課題】
【０００５】
近年、携帯電話などの携帯端末では、液晶表示ユニットを備えた構成において、薄型化と高剛性化の両立が望まれている。
これに対応して、特許文献１に示す従来の構成では、ブリッジ部は、フレームにおいて、ガラス基板の張り出す部分の裏面側に位置する金属底面部分を載置面側に断面コ字状に屈曲することによって形成される。
【０００６】
つまり、ブリッジ部では、底面部分から立ち上がる立ち上がり部の上端部に架設された平板部によって、底面部分よりも上方でガラス基板の張り出し部分を受けて応力集中を減少させる構成であるため、立ち上がり部分の立ち上がる高さ分、液晶表示ユニット自体が厚くなる。また、特許文献１の立ち上がり部には凹部が形成され、この凹部が立ち上がり部を補強している。このため、立ち上がり部は、凹部が形成される領域を確保するための所定の立ち上がり長を確保する必要があり、液晶表示ユニットの一層の薄型化を困難にしている。
【０００７】
本発明の目的は、表示部を良好に保持できる強度を確保することで、装置の大型化を回避することができる表示装置を提供することである。
【課題を解決するための手段】
【０００８】
本発明の表示装置は、表示部と、前記表示部が搭載される金属製板と、前記金属製板が設けられた筐体と、を備え、前記金属製板は、前記表示部が搭載される搭載部のうち第１の一辺から第１の曲げ部によって形成された第１曲げ片と、前記第１の一辺に隣接する第２の一辺から第２の曲げ部によって形成された第２曲げ片と、前記第１曲げ片から第３の曲げ部によって形成された連結片と、を有し、前記連結片は、前記第１曲げ片と前記第２曲げ片とを連設し、前記筐体に覆われる、ことを特徴とする。
【０００９】
また、本発明の表示装置は、前記連結片の一部は、前記第２曲げ片に重ねられ、前記第２曲げ片または前記搭載部と機械的に結合された、ことを特徴とする。
この構成により、筐体に外力が加わったときでも筐体の変形を小さくすることができる。
【００１０】
また、本発明の表示装置は、前記連結片が、前記筐体内に埋没するように成形された、ことを特徴とする。
この構成により、高剛性な金属製板を筐体と一体的に形成することができるので、筐体に外力が加わったときでも筐体の変形を小さくすることができる。
【００１１】
また、本発明の表示装置は、前記表示部は、長さが異なる２枚のガラスが積層されて形成された重層部と、前記２枚のガラスが積層されていない単層部とを有し、前記第３の曲げ片が、前記単層部の隅部を囲むように配置された、ことを特徴とする。
この構成により、表示部の中でも強度が低い部位（単層部）に作用する力を低減することができる。
【００１２】
また、本発明の表示装置は、前記金属製板は、前記表示部に覆われる位置に貫通穴と、凹部と、を有し、可撓性配線板の一端側は、前記表示部の前記単層部に接続され、前記可撓性配線板の他端側は、前記金属製板の内側で折り曲げられ、前記凹部の上部を通過して、前記表示部と該金属製板の間に配設され、前記貫通穴に挿通されて、前記金属製板の裏面に配置された、ことを特徴とする。
この構成により、可撓性配線板を金属製板の裏側に導くときに、単層部が重なる位置における金属製板に切欠きが無いので、この部位の強度低下を回避することができる。
【発明の効果】
【００１３】
本発明によれば、大型化を回避し、さらには小型薄型化を可能にしつつ表示部を良好に保持できる強度が確保できる表示装置を提供することができる。
【図面の簡単な説明】
【００１４】
【図１】本発明の実施形態における携帯電話機の外観を示す斜視図
【図２】本発明の実施形態における携帯電話機の中央断面図
【図３】本発明の実施形態における携帯電話機の筐体内の電気的構成を示すブロック図
【図４】（ａ）本発明の実施形態における携帯電話機内の金属製板の展開図、（ｂ）本発明の実施形態における携帯電話機内の金属製板の中央断面図
【図５】本発明の実施形態における携帯電話機内の金属製板の斜視図
【図６】本発明の実施形態における携帯電話機内の金属製板の部分拡大図
【図７】本発明の実施形態における携帯電話機内の金属製板を裏側から見た斜視図
【図８】本発明の実施形態における携帯電話機内の金属製板のバーリング部の断面図
【図９】本発明の実施形態における携帯電話機の平面図
【発明を実施するための形態】
【００１５】
以下、本発明の実施形態について、添付図面を参照しながら説明する。なお、ここでは、本発明の表示装置として、棒状型の携帯電話機に適用して説明する。
図１は、本発明の実施形態における携帯電話機の外観を示す斜視図である。図２は、本発明の実施形態における携帯電話機の中央断面図を示す。図３は、本発明の実施形態における携帯電話機の筐体内の電気的構成を示すブロック図である。図４（ａ）は、本発明の実施形態における携帯電話機内の金属製板の展開図である。図４（ｂ）は、本発明の実施形態における携帯電話機内の金属製板の中央断面図である。図５は、本発明の実施形態における携帯電話機内の金属製板の斜視図である。図６は、本発明の実施形態における携帯電話機内の金属製板の部分拡大図である。図７は、本発明の実施形態における携帯電話機内の金属製板を裏側から見た斜視図である。図８は、本発明の実施形態における携帯電話機内の金属製板のバーリング部の断面図である。図９は、本発明の実施形態における携帯電話機の平面図である。
【００１６】
図１に示すように、本実施形態の携帯電話機（以下、本体部という）１は、概略構成として、略箱状の第１部分筐体２と、略箱状の第２部分筐体３と第１部分筐体２に設けられる透明窓４と、第２部分筐体３に設けられる電池蓋部５と、を備えて、略箱型の本体部１を構成している。
【００１７】
次に、本実施形態の携帯電話機の本体部１が有する各構成要素について、図２乃至図３を用いて説明する。
第１部分筐体２は樹脂材料で成形されており、金属製の板材から形成された金属製板６が一体的に設けられている。第１部分筐体２の主面には、第１開口部７、第２開口部８、第３開口部９が設けられている。金属製板６は、中央部分に略矩形状の平坦部１０と、第１凹部１１と、第１貫通穴１２と、を有し、第１開口部７内の底面に平坦部１０が位置するように配置される。
透明窓４は金属製板６の平坦部１０を覆うように、第１部分筐体２の第１開口部７に取り付けられる。
【００１８】
第２部分筐体３は樹脂材料で成形されており、第１部分筐体２の主面とは反対側の裏面を覆うように、第１部分筐体２に取り付けられる。また、裏面には、第４開口部１３、第５開口部１４が設けられている。
電池蓋部５は樹脂材料で成形され、第２部分筐体３に着脱可能に装着される。
【００１９】
本体部１は、前述したように、第１部分筐体２と第２部分筐体３とが組み合わされて箱状になっている。この本体部１の内部には、レシーバ１５と、スピーカ１６と、表示部１７と、カメラ部１８と、送話部（マイクロフォン）１９と、操作部２０と、給電ばね２１と、アンテナ２２と、着脱可能な電池２３と、第１プリント基板２４と、第２プリント基板２５と、ＵＩＭカード２６が装着されるＵＩＭカード装着部２７と、情報記録カード２８が装着される情報記録カード装着部２９と、を収容している。第１プリント基板２４には、無線回路部３１、データ変換部３２、音声処理部３３、画像処理部３４、情報記録部３５及び制御部３６などが実装されている。また、給電ばね２１も設けられ、この給電ばね２１がアンテナ２２に接続される。
【００２０】
レシーバ１５は、第１音声出力部であり、通信相手の音声を出力するものである。着信時、第２開口部８を通過した音声が本体部１外に導かれる。使用者は第２開口部８近傍に耳を当てることで、相手の音声を聞き取ることができる。
スピーカ１６は、第２音声出力部であり、着信音やハンズフリー時の音声、ＴＶ視聴時の音声などを出力するものである。着信時、第５開口部１４を通過した音声が本体部１外に導かれる。使用者は、本体部１外に導かれた着信音などを聞き取ることができる。
【００２１】
表示部１７は、受信電界強度を示すマーク、電池残容量情報、時刻情報や着信情報、入力した文字や記号、受信画像等を表示する。この表示部１７は、表ガラス板４０と、裏ガラス板４１と、表ガラス板４０の表面に設けられた表偏光板４２と、裏ガラス板４１の表面に設けられた裏偏光板４３と、液晶駆動用ＩＣ４４と、液晶駆動用ＩＣ４４と第１プリント基板２４とを電気的に接続する第１可撓性配線部材４５と、表示用クッション５０と、バックライト部５１と、からなる。
【００２２】
表ガラス板４０と裏ガラス板４１は略矩形状の形状をなし、表ガラス板４０より裏ガラス板４１の方が大きい。表ガラス板４０と裏ガラス板４１は、３辺（図２では左端面と、及び奥行き方向）が略同一に揃えられ、残りの１辺（図２では右端面）は表ガラス板４０より裏ガラス板４１が突出している（長い）。この裏ガラス板４１が突出した領域における表ガラス板４０と対面する対面側には、液晶駆動用ＩＣ４４が実装される。また、これら表ガラス板４０と裏ガラス板４１の間には、液晶（図示せず）が封入されており、シール材（図示せず）によって２つのガラスを密着固定する。ここで、表ガラス板４０と裏ガラス板４１において、裏ガラス板４１が突出した領域を単層部５２と称し、単層部５２以外の部位を重層部５３と称することとする。
【００２３】
液晶駆動用ＩＣ４４は、表示部１７に文字等を表示させるために、液晶に電圧をかける電気信号を制御するためのものである。液晶駆動用ＩＣ４４が実装されている裏ガラス板４１の同一面には液晶駆動用ＩＣ４４へ電気信号を入力する信号を伝達するために、第１可撓性配線部材４５をＡＣＦ（Activated Carbon Fiber）用樹脂（図示せず）を用いて熱加圧接着して電気的、物理的に裏ガラス板４１に接続されている。
【００２４】
表ガラス板４０の表面に設けた表偏光板４２、及び裏ガラス板４１の裏面に設けた裏偏光板４３は、透過する光を制御するためのものである。
バックライト部５１は、導光部材５４と、反射部材５５と、ＬＥＤ等の光源（図示せず）が実装され片端が第１プリント基板２４に接続された第２可撓性配線部材５６と、からなる。
【００２５】
導光部材５４は、表示部１７の下側に設けられ、さらに、導光部材５４の下側（金属製板６と導光部材５４の間）には反射部材５５が設けられる。光源から照射された光は、反射部材５５によって反射などしながら導光部材５４の中を伝達した後、裏偏光板４３、裏ガラス板４１、表ガラス板４０、表偏光板４２、透明窓４を透光し、本体部１外に導かれる。
すなわち、バックライト部５１は、表示部１７を背面から照光する。表示部１７を透過した光により、使用者は透明窓４を通して表示部１７に表示された文字や画像等を本体部１外面から視認できる。
なお、表示部１７とは、バックライトを含む構成として上述したが、例えば、自発光型表示体を用いた場合はバックライト構造（背面照射）が不要となる。そこで、表示部１７とは、少なくとも、使用者が認識できる文字や画像等を表示する表示素子を含むものである。
【００２６】
表示部１７は、金属製板６の平坦部１０に搭載される。枠状の表示用クッション５０は、表示部１７上の外形に沿って設けられる。さらに、透明窓４が設けられて、本体部１内に表示部１７が載置される。表示部１７用クッションは、本体部１内の表示部１７外から表示部１７上に塵埃が侵入することを防止する。
【００２７】
第１可撓性配線部材４５、及び第２可撓性配線部材５６は、金属製板６の内側の範囲内で、かつ、小さな曲率で略１８０度曲げられる。曲げられた第１可撓性配線部材４５と第２可撓性配線部材５６にはその復元力により膨らもうとする（曲率が大きくなろうとする）力が発生する。膨らむことができる空間がなければ、表示部１７を持ち上げようとする。表示部１７が持ち上がると、粘着固定された透明窓４を浮かせてしまう。透明窓４が浮いてしまうと塵埃の侵入を招いてしまう。そこで、この曲げ部に近接し、金属製板６であって単層部５２と重なる領域に、絞り加工で形成された第１凹部１１を形成することで、平坦部１０の第２の一辺周囲の強度を向上させながら第１可撓性配線部材４５や第２可撓性配線部材５６の膨らんだ部位を収容できるようになっている。図示しないが、第１凹部１１の長さ（図２中奥行き方向）は、第１可撓性配線部材４５や第２可撓性配線部材５６の幅よりは十分長く設定されている。
【００２８】
第１可撓性配線部材４５や第２可撓性配線部材５６は第１凹部１１に収容された後に反射部材５５と金属製板６の間に延設される。さらに、第１貫通穴１２を通って金属製板６の裏面に導かれ、第１プリント基板２４上に設けられたコネクタ５７、５８にそれぞれ装着されて、電気的に接続される。
なお、第１貫通穴１２は本体部１の中心には位置していないが、図２では、前述した第１可撓性配線部材４５や第２可撓性配線部材５６が通ることを示すために、断面図示してある。
【００２９】
アンテナ２２は、スピーカ１６に隣接するとともに、表示部１７の裏側であって本体部１の先端に配置させる。ＧＳＭ方式の帯域である９００ＭＨｚ帯、１．８ＧＨｚ帯、１．９ＧＨｚ帯と、Ｗ−ＣＤＭＡ方式の帯域である２ＧＨｚ帯で共振点を有し、これら４つの帯域の送受信が行える多周波アンテナである。図示しないが、本体部１の現在位置を知るために上空の衛星からの信号を受信する第２のアンテナ（ＧＰＳアンテナ）やＴＶ放送を受信する第３のアンテナなども備える。
【００３０】
カメラ部１８は、スピーカ１６に隣接して設けられている。カメラ部１８は、入射光がレンズ群を通過してＣＣＤ（電荷結合素子）などの光電変換素子にて光信号から電気信号に変換され、画像情報が生成される。この画像情報は、画像処理部３４にて処理された後、表示部１７に画像を生成する。また、撮像した画像は情報記録部３５に記録ができたり、電話番号とともに電話帳に記録ができる。画像が保存されている相手から着信があった場合、表示部１７に該当する電話番号と関連付けられた画像を表示する。関連付けられた画像が顔画像であれば、発信相手を容易（一目）に認識できるようになっている。
【００３１】
ＵＩＭカード装着部２７は、契約者の情報や電話番号情報、個人識別情報などが記録されたＩＣカードとして使用されるＵＩＭカード２６が装着される。
情報記録カード装着部２９は、カメラ部１８が撮影した画像や音声情報を伴った動画像、他の機器（デジタルカメラなど）で撮影した動画像、静止画像などが記録された情報記録カード２８が装着される。
電池２３は電池蓋部５に覆われる。電池２３と電池蓋部５とが外された状態で、ＵＩＭカード２６や情報記録カード２８が交換（抜き挿し）できるようになっている。
【００３２】
マイクロフォン１９と操作部２０は、透明窓４が設けられた本体部１の主面に配置されている。マイクロフォン１９は、通話時は使用者の音声を第３開口部９から取り入れる。
操作部２０は、電話番号や文字を入力するために、数字や文字、記号が印刷されている。受話や終話、レシーバ１５やスピーカ１６から出力される音量の調節、マナーモードやカメラモードへの切替え、メニュー画面における選択と確定などができる複数の操作ボタンなどからなる。
【００３３】
第１プリント基板２４は、金属製板６の裏側（表示部１７が搭載される平坦部１０の反対側）に配置される。第２プリント基板２５は、操作部２０の底部に配置される。これら第１プリント基板２４と第２プリント基板２５に分断した理由は、本体部１の厚みを最小にするために、本体部１内に各構成要素を効率的に配置したのであり、配置の見直しによっては一体に形成してもよい。
第１プリント基板２４には、第２プリント基板２５と、レシーバ１５と、スピーカ１６と、第２可撓性配線部材５６や第２可撓性配線部材５６を介した表示部１７と、カメラ部１８と、マイクロフォン１９と、操作部２０と、給電ばね２１を介したアンテナ２２と、着脱可能な電池２３と、ＵＩＭ（User Identity Module）カード２６が装着されるＵＩＭカード装着部２７と、情報記録カード２８が装着される情報記録カード装着部２９と、が電気的に接続される。表示部１７、カメラ部１８は、画像処理部３４と接続されており、このカメラ部１８が撮影した画像情報は、所定の操作を行うと、情報記録部３５に記録される。なお、この情報記録部３５は、この画像情報の他にも、電話番号情報や音声情報、撮像した画像情報以外の画像情報（受信した画像情報等）、作成中または送受信したメール等の文字情報を記録することができる。
【００３４】
制御部３６は、操作部２０、無線回路部３１、データ変換部３２、画像処理部３４及び情報記録部３５に接続されており、これらの制御を行う。さらに、この制御部３６は、ＵＩＭカード装着部２７や情報記録カード装着部２９、電池２３にも接続されている。
無線回路部３１はアンテナ２２に接続されており、このアンテナ２２で受信したデータを処理してデータ変換部３２に出力するように構成されている。データ変換部３２は音声処理部３３に接続されており、音声処理部３３は、レシーバ１５、スピーカ１６及びマイクロフォン１９にそれぞれ接続されている。
従って、このデータ変換部３２は、無線回路部３１を介してアンテナ２２からの受信データを音声データに変換して音声処理部３３に出力する。
【００３５】
音声処理部３３は、音声データを復号化して音声信号を生成した後、レシーバ１５やスピーカ１６に出力する。レシーバ１５やスピーカ１６は、音声処理部３３から伝達された音声信号に対応する音声を出力する。
また、音声処理部３３は、マイクロフォン１９が受けた音声を符号化して音声データを生成した後、データ変換部３２に出力する。データ変換部３２は、入力した音声データを通信データに変換した後、無線回路部３１に出力する。無線回路部３１は、受け取った通信データを処理し、アンテナ２２から無線信号の電波として送信する。
【００３６】
次に、金属製板６の形状について、図４乃至図８を用いて説明する。図４（ａ）は、金属製板６の展開図である。図４（ｂ）は、図４（ａ）の金属製板６の中央（Ｃ−Ｃ’）断面図である。図５は、金属製板６の斜視図である。図６は、金属製板６の部分拡大図である。図７は、表示部１７が搭載される金属製板６を裏側から見た斜視図である。図８は、金属製板６のバーリング部の断面図である。
【００３７】
金属製板６は、表示部１７が搭載される略矩形状の平坦部１０と、平坦部１０のうち、第１の一辺に第１の曲げ部６００によって形成された第１曲げ片６０と、第１の一辺に隣接した第２の一辺に第２の曲げ部６１０によって形成された第２曲げ片６１と、第２曲げ片６１から第３の曲げ部６２０によって形成された第３曲げ片（または第３連結片）６２と、第３曲げ片６２から第４の曲げ部６４０によって形成された第４曲げ片６４と、を有する。
【００３８】
また、金属製板６は、第１の一辺の対辺である第３の一辺に第５の曲げ部６５０によって形成された第５曲げ片６５と、第２曲げ片６１から第６の曲げ部６６０によって形成された第６曲げ片６６（または第６連結片）と、第６曲げ片６６から第７の曲げ部６７０によって形成された第７曲げ片６７と、を有する。
【００３９】
また、第２の一辺の対辺である第４に一辺に第８の曲げ部６８０によって形成された第８曲げ片６８と、第８曲げ片６８の片端側であって絞り加工にて第９曲げ部６９０を形成して第８曲げ片６８と第１曲げ片６０とを一体的に連設する第９曲げ片６９（または第９連結片）と、第８曲げ片６８の他端側であって絞り加工にて第１０曲げ部７００を形成して第８曲げ片６８と第５曲げ片６５とを一体的に連設する第１０曲げ片７０（または第１０連結片）と、を有する。
【００４０】
図６に示すとおり、第３曲げ片６２は、第１曲げ片６０に重ねられるように延設され、第４曲げ片６４は、平坦部１０の裏側の面に重ねられるように延設されている。また、第６曲げ片６６は、第５曲げ片６５に重ねられるように延設され、第７曲げ片６７は、平坦部１０の裏側の面に重ねられるように延設されている。
【００４１】
平坦部１０には、前述した第１貫通穴１２と第１凹部１１以外に、第２貫通穴８０と、第３貫通穴８１と、第２凹部８２が設けられている。図４（ｂ）に示すとおり、第２凹部８２は、平坦部１０の略中央に形成されている。第２凹部８２の深さは、第１可撓性配線部材４５の厚みと同じである。この第２凹部８２に第１可撓性配線部材４５を配設することで、第１可撓性配線部材４５を表示部１７の下に敷設したとき、第１可撓性配線部材４５の厚み分だけ表示部１７を持ち上げないようにするものである。第４曲げ片６４には第１バーリング部８３が形成され、この第１バーリング部８３を第２貫通穴８０に挿入させた後に、第１バーリング部８３先端を押し潰すような塑性変形を与えることで、第４曲げ片６４が平坦部１０の裏面側に固定される。また、図示しないが、第４曲げ片６４と同様に、第７曲げ片６７には第２バーリング部８４が形成され、この第２バーリング部８４を第３貫通穴８１に挿入させた後に、第２バーリング部８４先端を押し潰すような塑性変形を与えることで、第７曲げ片６７が平坦部１０の裏面側に固定される。
【００４２】
すなわち、平坦部１０は周囲に曲げ片（第１曲げ片６０、第２曲げ片６１、第５曲げ片６５、および第８曲げ片６８を指す）を有するので、変形しにくくなっている。さらに、平坦部１０の周囲の曲げ片（第１曲げ片６０、第２曲げ片６１、第５曲げ片６５、および第８曲げ片６８を指す）は、連結片（第３曲げ片６２、第６曲げ片６６、第９曲げ片６９、および第１０曲げ片７０を指す）によってかしめ加工や絞り加工にて繋げられた。これにより、外力が作用したときに容易に曲がったり拡開するコーナー部は存在しないようになっている。
【００４３】
なお、本実施形態では、平坦部１０と第４曲げ片６４とはバーリングかしめによって固定したが、第３曲げ片６２と第１曲げ片６０とを重ねた状態で両者を溶接したりリベット等のかしめ手段によって直接的に結合させたり、第４曲げ片６４を平坦部１０と重ねた状態で溶接したりリベット等のかしめによって結合させて、第１曲げ片６０と第３曲げ片６２とを間接的に連結してもよい。これらの手段は、他のコーナー部も同様である。
【００４４】
第１部分筐体２は、樹脂成形用金型にて形成される。この金型は、２つに分離可能な金属塊が合致したとき、内部に空洞が形成される。金型が開いているときに金属製板６を内装し、金型と閉じた後に樹脂材料を空洞内に充填させて形成させる、所謂、インサート成形によって形成される。金型の中で、第３曲げ片６２や第６曲げ片６６、第９曲げ片６９、第１０曲げ部の周囲に空洞を形成させると、これら第３曲げ片６２や第６曲げ片６６、第９曲げ片６９、第１０曲げ片７０の周囲に樹脂材料が充填される。一般的には、金属材料と樹脂材料は密着しない。密着させるためには、予め金属材料の表面に樹脂材料が密着する塗装等の処理をする必要があるが、コストアップを招く。そこで、塗装をしなくてもいいように、金属材料の周囲に樹脂材料を充填させることで、樹脂材料が破壊しない限り金属材料が突出しないようにしている。
【００４５】
図９について、説明する。図９は携帯電話機の本体部１の平面図とし、第１部分筺体２と金属製板６のみを表している。第１部分筐体２の主面には、矩形状の外形９０を持つ第１開口部７が設けられている。金属製板６のうち、第１部分筐体２内に、平坦部１０の４辺に形成した第１曲げ片６０、第２曲げ片６１、第５曲げ片６５、第８曲げ片６８とともに、第３曲げ片６２や第６曲げ片６６、第９曲げ片６９、第１０曲げ片７０が埋没していることが理解できる。
【００４６】
次に、本発明の実施形態の携帯電話機の動作について、説明する。本体部１に電源が投入されると、受信待受動作を開始される。操作部２０を操作することで、カメラモードやＴＶ受信モード、ＧＰＳモードに切り替えることができる。カメラモードにおいては、カメラ部１８の起動によって、モードが切り替わる。カメラ部１８を起動させると、撮影画像を表示部１７に表示させることができる。撮像画像を保存したいた場合には情報記録部３５に記録させることができる。ＴＶ受信モードにおいては、ＴＶ放送を受信すれば、表示部１７でＴＶ視聴が可能になる。ＧＰＳモードにおいては、自身（本体部１）の位置情報を表示部１７に表示させることができる。
各モード下において着信した場合、着信を報知するために、スピーカ１６から着信音が出力される。このとき、所定の操作を行うと受話できる。使用者の音声はマイクロフォン１９から送話される。終話すると、電源投入後に表示された画面に戻る。
【００４７】
次に、携帯時について、説明する。使用者は、携帯時に誤って落下させてしまう場合がある。また、鞄に入れて携行したり、本体部１が小型な場合には、ポケットに収納して携帯するときもある。本体部１を落下させてしまった場合やポケットに収納したまま屈んだりすると、本体部１に曲げやねじりなどの力が加えられる。このとき、金属製板６の剛性が低ければ本体部１が容易に変形してしまい、時には、表示部１７を破損させてしまう。
【００４８】
図１に示す矢印Ａの力が本体部１に作用したとき、金属製板６の平坦部１０のうち対角を結ぶ対角線（図１及び図７に２点鎖線で示す）を中心に曲げの力（図１及び図７に示す矢印Ｂ）が加わる。表示部１７においては、重層部５３と比べて単層部５２の強度が低いため、前述の力が付与されると表示部１７にも同様に力が加わる。この力が大きいと単層部５２を基点にして破壊が生じたり、液晶駆動用ＩＣ４４が破損してしまう。
本実施形態では、第３曲げ片６２や第６曲げ片６６、第９曲げ片６９、第１０曲げ片７０を設けて、平坦部１０の周囲に形成した第１曲げ片６０、第２曲げ片６１、第５曲げ片６５、第８曲げ片６８を、隣接する曲げ片に連設したので、このような力が付与された場合でも金属製板６の四隅（コーナー部）が拡開しないようになっている。
【００４９】
さらに、金属製板６の曲げ部は加工硬化により硬さが増しており、しかもこの四隅を第１部分筺体２の中に埋設させたので、本体部１の剛性は金属製板６の剛性とともに第１部分筺体２の剛性も加わる。よって、金属製板６が変形しにくくなる。
なお、本実施形態では、表示部１７の隅部を囲むように平坦部１０の周囲に形成した曲げ片を連結したが、少なくとも、強度が低い単層部５２の角部を囲む位置を連結するように配置するのがよい。
【００５０】
また、前述したように、バーリングかしめや絞り加工を用いず、溶接や締結など、他の機械的結合手段を用いても、前述した拡開防止を達成するものである。本実施形態では、金属製板６の平坦部１０の四隅のうち、２ケ所はバーリングかしめを行い、残り２ケ所は絞り加工としている。前者は、部分的に２枚の板が重なることで厚くなるという不利な点を有し、後者は、絞り加工時に部品に破れが生じないようにするために、図４に示すような大きな半径を有する形状にしなければならないという不利な点を有するが、平坦部１０の四隅が拡開を防止する効果としては同じである。なお、前述した大きな半径部を第１部分筐体２内に埋設させれば、上述の破れがあっても表示部１７への塵埃の侵入が回避できるなど、前者と後者の選択は、適宜、装置の実現に向けて好適な方を選べばよい。
【００５１】
また、図９において、第３曲げ片６２と第６曲げ片６６は第１部分筐体２内に埋没させ、第４曲げ片６４と第７曲げ片６７はその一部分を第１部分筐体２に埋没させ、第２貫通穴８０と第３貫通穴８１は第１部分筐体２外に露出するように図示しているが、何れも第１筐体部分２が覆うようにしたほうが、金属製板に力が加わったときにはその力を受けるので、第１部分筐体２の変形量を軽減させる。
【００５２】
よって、第３曲げ片６２と第６曲げ片６６とともに第４曲げ片６４、第７曲げ片６７、第２貫通穴８０、及び第３貫通穴８１も第１部分筐体２内に埋設させたほうが好ましい。
なお、本実施形態における第３曲げ片は第２曲げ片を延長させて形成したが、第１曲げ片を延長させて形成するなど、何れの曲げ片から延長させて形成しても本実施形態の効果は変わらない。第６曲げ片も同様である。
【００５３】
以上まとめると、表示部１７を搭載する金属製板６の平坦部１０は、平坦部１０の周囲に曲げ片を形成するとともに、形成された曲げ片同士を連結したので、平坦部１０の変形がしにくくなっている。これにより、表示部１７が容易に破損する事態が回避できる。さらに、連結した部位を第１部分筺体２で覆ったので、より金属製板６が変形しにくくすることで、表示部１７に作用する力を低減させる。
【産業上の利用可能性】
【００５４】
本発明の表示装置における金属製板は、表示部が搭載される搭載部の周囲に形成された曲げ片を連続的に繋がるように形成するとともに、この繋げた部位を第１部分筐体内に埋設するように構成したことにより、装置の大型化やコストアップを回避しながら、表示部周囲の剛性を高めることで、破損しにくいという効果を有する。このような効果は、携帯電話機、ＰＤＡ、モバイル型のＰＣ、ノート型ＰＣなどのような携帯用電子機器における表示装置に適用するのに好適である。
【符号の説明】
【００５５】
１  携帯電話機（携帯端末）の本体部
２  第１部分筐体
３  第２部分筐体
６  金属製板
１０  平坦部
１７  表示部
５２  単層部
５３  重層部
６０  第１曲げ片
６１  第２曲げ片
６２  第３曲げ片
６４  第４曲げ片
６５  第５曲げ片
６６  第６曲げ片
６７  第７曲げ片
６８  第８曲げ片
６９  第９曲げ片
７０  第１０曲げ片
８３  第１バーリング部
８４  第２バーリング部
【図１】
2012173615.tif 000003
【図２】
2012173615.tif 000004
【図３】
2012173615.tif 000005
【図４】
2012173615.tif 000006
【図５】
2012173615.tif 000007
【図６】
2012173615.tif 000008
【図７】
2012173615.tif 000009
【図８】
2012173615.tif 000010
【図９】
2012173615.tif 000011